(57)【要約】      （修正有）【課題】１着の衣服で３種類のデザインが施された面をそれぞれ外側にして着用できるスリーウェイコートを提供する。【解決手段】それぞれ異なるデザインの第１の衣服面１２と第２の衣服面と第３の衣服面とから成り、それぞれの衣服面１２を外側にして着用できるスリーウェイコートであって、前記第１の衣服面１２と前記第２の衣服面とは、それぞれフード１５を備えるジャケット状に形成され、両方の衣服面１２を外側にして重ね合わせると共に、前記フード１５と左右の前身頃１７と裾部１９とを縁部に沿って縫着し、袖部２１の端部に嵌合自在な取付手段２２を設け、前記第２の衣服面の裏面側は、前記裾部に延長裾部を延設すると共に、首回りに襟部を設けて第３の衣服面と成す。【選択図】図１
0003157668.tif 000002
【実用新案登録請求の範囲】
【請求項１】
それぞれ異なるデザインの第１の衣服面と第２の衣服面と第３の衣服面とから成り、それぞれの衣服面を外側にして着用できるスリーウェイコートであって、
前記第１の衣服面と前記第２の衣服面とは、それぞれフードを備えるジャケット状に形成され、両方の衣服面を外側にして重ね合わせると共に、前記フードと左右の前身頃と裾部とを縁部に沿って縫着し、袖部の端部に嵌合自在な取付手段を設け、
前記第２の衣服面の裏面側は、前記裾部に延長裾部を延設すると共に、首回りに襟部を設けて第３の衣服面と成すこと
を特徴とするスリーウェイコート。
【請求項２】
前記第１の衣服面の背部には、前記スリーウェイコートをコンパクトに畳んで収納できる収納部を備えること
を特徴とする請求項１に記載のスリーウェイコート。
【考案の詳細な説明】
【技術分野】
【０００１】
本考案は、１着の衣服で３種類のデザインが施された面をそれぞれ外側にして着用することができるスリーウェイコートに関するものである。
【背景技術】
【０００２】
従来、図８（イ）（ロ）に示すように、表と裏とのそれぞれの面を外側にして着用できるリバーシブルウエア１が知られている。このリバーシブルウエア１は、カジュアルに使用する上着２の生地と、フォーマルに使用する上着３の生地とを重ね合わせて形成している。また、両方の上着２、３を分離するためのファスナー４が襟部５、左右の前身頃６、裾部７、及び袖部８の縁部に沿って設けられた構成である（特許文献１参照）。
【０００３】
このような構成のリバーシブルウエアは、例えば式典会場に向かうときには、カジュアルな上着２を外側にして着用し、式典会場近くで裏返してフォーマルな上着３を外側にして着用することにより、両方の上着２、３を適宜に使い分けて使用できる。
【０００４】
また、両方の上着２、３をファスナー４で分離して２着に分けることができるので、気温や体感温度の変化等に応じて厚着用又は薄着用等にして適宜に使い分けることもできるのである。
【先行技術文献】
【特許文献】
【０００５】
【特許文献１】特開２００６−２３３３４０号公報
【考案の概要】
【考案が解決しようとする課題】
【０００６】
この従来例のリバーシブルウエア１においては、カジュアルな上着２とフォーマルな上着３との２種類だけであり、また、上着２と上着３とのそれぞれ形状も基本的には代わり映えのしないものであって、着用時の変化に乏しいという欠点を有している。
【０００７】
従って、従来例におけるリバーシブルウエア１においては、さらに多い面を外側にして着用できるようにすると共に、それぞれの面の形状を異ならせて着用時の変化に富ませることに解決しなければならない課題を有している。
【課題を解決するための手段】
【０００８】
前記従来例の課題を解決するための本考案の要旨は、それぞれ異なるデザインの第１の衣服面と第２の衣服面と第３の衣服面とから成り、それぞれの衣服面を外側にして着用できるスリーウェイコートであって、前記第１の衣服面と前記第２の衣服面とは、それぞれフードを備えるジャケット状に形成され、両方の衣服面を外側にして重ね合わせると共に、前記フードと左右の前身頃と裾部とを縁部に沿って縫着し、袖部の端部に嵌合自在な取付手段を設け、前記第２の衣服面の裏面側は、前記裾部に延長裾部を延設すると共に、首回りに襟部を設けて第３の衣服面と成すことである。
【０００９】
また、前記第１の衣服の背部には、前記スリーウェイコートをコンパクトに畳んで収納できる収納部を備えることを含むものである。
【考案の効果】
【００１０】
本考案に係るスリーウェイコートによれば、１着の衣服で３種類のデザインが施された面をそれぞれ外側にして着用できるので、変化に富んでお洒落であると共に、多彩なファッションを楽しめるという優れた効果を奏する。
【００１１】
また、第１の衣服の背部には、前記スリーウェイコートをコンパクトに畳んで収納できる収納部を備えることによって、この収納部にスリーウェイコートを収納すれば、着用しないとき等に便利であるという優れた効果を奏する。
【図面の簡単な説明】
【００１２】
【図１】（イ）本考案に係るスリーウェイコート１１の第１の衣服面１２を外側にした正面図である。（ロ）本考案に係るスリーウェイコート１１の第１の衣服面１２を外側にした背面図である。
【図２】（イ）本考案に係るスリーウェイコート１１の第２の衣服面１３を外側にした正面図である。（ロ）本考案に係るスリーウェイコート１１の第２の衣服面１３を外側にした背面図である。
【図３】（イ）本考案に係るスリーウェイコート１１の第３の衣服面１４を外側にした正面図である。（ロ）本考案に係るスリーウェイコート１１の第３の衣服面１４を外側にした背面図である。
【図４】第３の衣服面１４の裏側を示す略示的な平面図である。
【図５】裾部１９、２０及び延長裾部３０の内部構造を示す説明図である。
【図６】第３の衣服面１４の首回り３１の内部構造を示す説明図である。
【図７】（イ）スリーウェイコート１１の裏返し方法を示す説明図である。（ロ）スリーウェイコート１１の裏返し方法を示す説明図である。
【図８】（イ）従来例に係るリバーシブルウエア１のカジュアルな上着２を外側にした正面図である。（ロ）従来例に係るリバーシブルウエア１のフォーマルな上着３を外側にした正面図である。
【考案を実施するための形態】
【００１３】
次に、本発明の実施の形態について図面を参照しながら説明する。まず、図１から図３において、符号１１はスリーウェイコートを示し、このスリーウェイコート１１は、それぞれ異なるデザインに形成された第１の衣服面１２と第２の衣服面１３と第３の衣服面１４とから構成されており、これら３種類の衣服面１２、１３、１４をそれぞれ外側にして着用できる仕組みになっている。
【００１４】
第１の衣服面１２と第２の衣服面１３とは、図１及び図２に示すように、それぞれフード１５、１６を備えてジャケット状に形成される。
【００１５】
そして、第１の衣服面１２と第２の衣服面１３とをそれぞれ外側にして重ね合わせると共に、フード１５、１６の縁部１５ａ、１６ａ同士と、前身頃１７、１８の縁部１７ａ、１８ａ同士と、裾部１９、２０同士とに沿って縫着している。この縫着部位は、それぞれの衣服面１２、１３の縁部を中縫いしているので、表側からは縫い目が視認されないようになっている。
【００１６】
第１の衣服面１２の袖部２１の端部には、その表裏両面にボタン２２（取付手段）が設けられており、また、第２の衣服面１３の袖部２３の端部には、ボタンホール２４（取付手段）が形成されている。従って、袖部２１の中に沿って袖部２３を挿入し（又は袖部２３の中に沿って袖部２１を挿入し）、ボタン２２をボタンホール２４に嵌め合わせれば、袖部２１と袖部２３との重なり状態がズレないこととなる。
【００１７】
第１の衣服面１２の中央部には、着脱自在なファスナー３５が設けられている（図１（イ）参照）。このファスナー３５は、第２の衣服面１３の中央部に設けられるファスナー３５と両用される（図２（イ）参照）。
【００１８】
また、第１の衣服面１２には、図１（イ）に示すように、ポケット２５が設けられている。なお、図１（イ）中の符号２６における破線は、後述する第３の衣服面１４を外側にして着用したときに、その内側、即ち、第１の衣服面１２の裏側に設けられた内ポケットを示す。
【００１９】
第１の衣服面１２の背部２７には、図１（ロ）に示すように、袋状の収納部２８と、この収納部２８を開閉するファスナー２９とが設けられている。収納部２８には、スリーウェイコート１１をコンパクトに畳んで収納することができるので、着用しないとき等には便利である。
【００２０】
第２の衣服面１３には、図２（イ）に示すように、ポケット４０が設けられている。
【００２１】
第２の衣服面１３の裏側は、図３及び図４に示すように、裾部２０の裏側に沿って所定長さの延長裾部３０が延設されており、更に、首回り３１には襟部３２が設けられており、全体的にレインコート形状の第３の衣服面１４を成している。
【００２２】
つまり、第２の衣服面１３の裏側に第３の衣服面１４が形成されているので、例えば、第２の衣服面１３の袖部２３の裏側が、第３の衣服面１４の袖部４１となって現れる。
【００２３】
第３の衣服面１４には、図３（イ）に示すように、ポケット３３が設けられており、左の前身頃３６には、ボタン３７が設けられており、右の前身頃３８には、ボタンホール３９が設けられている。更に、前述したように、第３の衣服面１４の内側には、内ポケット２６が設けられている（図１（イ）及び図４参照）。
【００２４】
次に、裾部１９、２０、及び延長裾部３０の構造について説明する。図５に示すように、第１の衣服面１２の裾部１９と、第２の衣服面１３の裾部２０との縁部に沿って縫着されている。また、第２の衣服面１３の裾部２０には、延長裾部３０が延設されており、前述のように、第２の衣服面１３の裏側において第３の衣服面１４を成している。
【００２５】
第３の衣服面１４の首回り３１の内部構造について説明する。図６に示すように、首回り３１には、襟部３２が設けられており、この襟部３２の端部３２ａが首回り３１に沿って縫着されている。
【００２６】
そして、第３の衣服面１４の裏側は、図６に示すように、第１の衣服面１２の裏側が現れており、その下部に第１の衣服面１２のフード１５が位置し、その下部に第２の衣服面１３のフード１６が位置し、その下部に第２の衣服面１３の裏側が現れている。それらの端部が内側に折り曲げられて、襟部３２の端部３２ａと共に縫着されると共に、その縫着部位に表地パイピング３４が施されている。
【００２７】
次に、スリーウェイコート１１の裏返し方法について説明する。まず、前述のように、第１の衣服面１２と第２の衣服面１３とは重ね合わされて表裏が一体的であるので、袖部２１と袖部２３とを逆に引き出して裏返せば、第１の衣服面１２、又は第２の衣服面１３をそれぞれ外側できる。
【００２８】
第１の衣服面１２が外側の状態から第３の衣服面１４を外側に裏返す方法について説明する。まず、図７（イ）に示すように、ボタン２２をボタンホール２４から外す。次いで、矢印Ａに示すように、第１の衣服面１２の袖部２１から第３の衣服面１４の袖部４１を順次引き出して裏返せば、第３の衣服面１４を外側にできる。
【００２９】
また、その逆に第３の衣服面１４が外側の状態から第１の衣服面１２を外側に裏返す方法について説明する。まず、図７（ロ）に示すように、ボタン２２をボタンホール２４から外す。次いで、矢印Ｂに示すように、第３の衣服面１４の袖部４１から第１の衣服面１２の袖部２１を順次引き出して裏返せば、第１の衣服面１２を外側にできる。
【００３０】
以上のように構成されるスリーウェイコート１１は、１着の衣服で３種類のデザインが施された衣服面１２、１３、１４それぞれ外側にして着用できるので、変化に富んでお洒落であると共に、多彩なファッションを楽しめることとなる。
【符号の説明】
【００３１】
１    リバーシブルウエア
２    カジュアルな上着
３    フォーマルな上着
４    ファスナー
５    襟部
６    前身頃
７    裾部
８    袖部
１１  スリーウェイコート
１２  第１の衣服面
１３  第２の衣服面
１４  第３の衣服面
１５、１６  フード
１５ａ、１６ａ  縁部
１７、１８  前身頃
１７ａ、１８ａ  縁部
１９、２０  裾部
２１  袖部
２２  ボタン（取付手段）
２３  袖部
２４  ボタンホール（取付手段）
２５  ポケット
２６  内ポケット
２７  背部
２８  収納部
２９  ファスナー
３０  延長裾部
３１  首回り
３２  襟部
３２ａ  端部
３３  ポケット
３４  表地パイピング
３５  ファスナー
３６  左の前身頃
３７  ボタン
３８  右の前身頃
３９  ボタンホール
４０  ポケット
４１  袖部
【図１】
0003157668.tif 000003
【図２】
0003157668.tif 000004
【図３】
0003157668.tif 000005
【図４】
0003157668.tif 000006
【図５】
0003157668.tif 000007
【図６】
0003157668.tif 000008
【図７】
0003157668.tif 000009
【図８】
0003157668.tif 000010